(57)【要約】  容器からの液体化学濃縮物を希釈水の流れと混合して分配するためのディスペンサ。ディスペンサは、或る場合には水流を、また或る場合には水流中に吸い上げられる濃縮物の量を制御する、２つの弁部材を含む。ディスペンサは、様々な異なる化学的濃度及び様々な水の流速を可能にすることができる簡略化された設計である。
2008537506.tif 000002
【特許請求の範囲】
【請求項１】
種々の濃度の化学濃縮物を濃縮物容器から水流中に種々の流速で分配するためのディスペンサであって、
一端に加圧水源と接続されるようになっている入口端及び反対端に出口を備える貫通孔を有する本体部材と、
前記本体部材の前記貫通孔と流体連通し、少なくとも２つの異なる流速を提供するように構成及び配置される、第１の弁部材と、
前記貫通孔及び前記濃縮物容器と流体連通し、少なくとも２つの異なる量の濃度の化学濃縮物を前記貫通孔に供給するように構成及び配置される、第２の弁部材と
を備え、前記第１の弁部材及び前記第２の弁部材は、前記本体部材の外部からアクセス可能である、種々の濃度の化学濃縮物を濃縮物容器から水流中に種々の流速で分配するためのディスペンサ。
【請求項２】
前記第１の弁部材は、少なくとも２つの異なる流速を提供するように構成及び配置される、請求項１に記載の種々の濃度の化学濃縮物を濃縮物容器から水流中に種々の流速で分配するためのディスペンサ。
【請求項３】
前記第２の弁部材は、３つの異なる流速を提供するように構成及び配置される、請求項１に記載の種々の濃度の化学濃縮物を濃縮物容器から水流中に種々の流速で分配するためのディスペンサ。
【請求項４】
前記第２の弁部材は、異なる直径の３つの流路を含む、請求項３に記載の種々の濃度の化学濃縮物を濃縮物容器から水流中に種々の流速で分配するためのディスペンサ。
【請求項５】
前記貫通孔は、前記化学濃縮物に接続される、請求項１に記載の種々の濃度の化学濃縮物を濃縮物容器から水流中に種々の流速で分配するためのディスペンサ。
【請求項６】
前記貫通孔は、容器内のディップチューブによって前記化学濃縮物に接続される、請求項５に記載の種々の濃度の化学濃縮物を濃縮物容器から水流中に種々の流速で分配するためのディスペンサ。
【請求項７】
前記出口は、バケット、瓶を充填するように、又は泡ノズルを受けるように構成及び配置される、請求項１に記載の種々の濃度の化学濃縮物を濃縮物容器から水流中に種々の流速で分配するためのディスペンサ。
【請求項８】
前記本体部材は、人間の手で掴まれるようになっている、請求項１に記載の種々の濃度の化学濃縮物を濃縮物容器から水流中に種々の流速で分配するためのディスペンサ。
【請求項９】
前記第１の弁部材及び前記第２の弁部材は、前記本体部材の片側に配置される制御ダイヤルによって制御され、該制御ダイヤルの両方が同じ側に位置する、請求項８に記載の種々の濃度の化学濃縮物を濃縮物容器から水流中に種々の流速で分配するためのディスペンサ。
【請求項１０】
前記入口端は、ホースに接続されるようになっている、請求項１に記載の種々の濃度の化学濃縮物を濃縮物容器から水流中に種々の流速で分配するためのディスペンサ。
【請求項１１】
前記第１の弁部材は、流量制御装置を含む、請求項１に記載の種々の濃度の化学濃縮物を濃縮物容器から水流中に種々の流速で分配するためのディスペンサ。
【発明の詳細な説明】
【技術分野】
【０００１】
［発明の背景］
本発明の分野は、化学濃縮物用のディスペンサであり、特に、複数の流速及び種々の濃度での化学濃縮物の分配である。
【０００２】
本発明に関するタイプのディスペンサは、米国特許第４，５０８，２７２号、同第５，３２０，２８８号、同第６，７０８，９０１号、及び国際特許公開ＷＯ０２／３６２６７号に開示されている。
【０００３】
米国特許第４，５０８，２７２号、同第５，３２０，２８８号、同第６，７４９，１３３号、及びＰＣＴ国際公開ＷＯ０２／３６２６７号に開示されているディスペンサは、ディスペンサを通る水の流速の制御を提供していない。水流に入る濃縮物の調整は、‘２７２号特許では回転ポート８２、‘２８８号特許では制御部材１１０、‘１３３号特許ではインサート７００の回転、及びＰＣＴ国際公開ＷＯ０２／３６２６７号では計量オリフィス２２によって達成されている。
【発明の開示】
【発明が解決しようとする課題】
【０００４】
米国特許第６，７０８，９０１号に開示されているディスペンサは、水流速及び濃縮物の両方の制御を提供している。しかしながら、水流速及び化学濃縮物を制御する代替的な方法が必要であり得る。例えば、操作者は、米国特許第６，７０８，９０１号で提供されている１つのダイヤルではなく、これらの機能ごとに別個の流量ダイヤルがあることを好む場合がある。
【課題を解決するための手段】
【０００５】
［発明の概要］
本発明は、種々の濃度の化学濃縮物を濃縮物容器から水流中に種々の流速で分配するためのディスペンサを提供する。ディスペンサは一端に加圧水源と接続されるようになっている入口端及び反対端に出口を備える貫通孔を有する本体部材を備える。第１の弁部材は、本体部材の貫通孔と流体連通している。第１の弁部材は、少なくとも２つの異なる流速を提供するように構成及び配置される。貫通孔及び濃縮物容器と流体連通している第２の弁部材が存在する。第２の弁部材は、少なくとも２つの異なる量の濃度の化学濃縮物を貫通孔に供給するように構成及び配置される。第１の弁部材及び第２の弁部材は、本体部材の外部からアクセス可能である。
【０００６】
好ましい実施の形態では、第１の弁部材は、２つの異なる流速を提供するように構成及び配置される。
【０００７】
一態様において、第２の弁部材は、異なる３つの流速を提供するように３つの流路を含み、貫通孔は化学濃縮物容器に接続されている。
【０００８】
別の態様において、出口は、バケット、瓶を充填するように、又は泡ノズルを受けるように構成及び配置され、本体部材は、人間の手で掴まれるようになっている。
【０００９】
別の好ましい実施の形態では、第１の弁部材は、流量制御装置を含む。
【００１０】
本発明の包括的な目的は、水及び化学濃縮物の両方の流速が互いに独立して制御される、種々の濃度の化学濃縮物を分配するためのディスペンサを提供することである。
【００１１】
別の目的は、水及び化学濃縮物の流速が個別の弁部材によって制御される、上記のタイプのディスペンサである。
【００１２】
さらに別の目的は、個別の弁部材がディスペンサの同じ側に配置されるダイヤルによって制御される、上記のタイプのディスペンサである。
【００１３】
さらに別の目的は、操作が容易な上記のタイプのディスペンサである。
【００１４】
さらに別の目的は、経済的に製造される上記のタイプのディスペンサである。
【発明を実施するための最良の形態】
【００１５】
［好適な実施形態の詳細な説明］
図１及び図２を参照すると、全体的に１０で示すディスペンサが、容器又は瓶１６に接続するための容器コネクタ１４を備える本体部材１２を有する。好適なコネクタシステムは、本発明の同一譲受人に譲渡された米国特許第６，７７２，９１４号により詳細に記載されており、その教示は本明細書に援用される。本体部材１２の一端には、加圧水をディスペンサに供給するためのホース・アタッチメント１８がある。ハンドル１７がアタッチメント１８の下に設けられる。他端には、混合化学溶液を分配するためのスパウト２２及びノズル２０がある。フレキシブルチューブ１５がノズル２０とスパウト２２との間に延びる。
【００１６】
図２で見られるように、本体部材１２は、エダクタ部分１１によって相互接続される収束通路２４及び放散通路２５を含む。貫通孔２７が、収束通路２４及び放散通路２５とつながる。本体部材１２には、貫通孔２７並びに通路２４及び２５を通る水流を制御する弁部材３０が回転可能に取り付けられる。本体部材１２には、放散通路２５内の水流に導入される化学濃縮物の量を制御する第２の弁部材３２も回転可能に取り付けられる。これらの弁部材は、フランジ３４及びアンダカット３６によって本体部材に回転可能に取り付けられる。シール３８も設けられる。
【００１７】
図４〜図７を参照すると、弁部材３０が横通路４１を有することが分かる。チャネル４２及び４４がそれと連通して、貫通孔２７から収束通路２４までの通路を提供する。
【００１８】
図３及び図８〜図１１を参照すると、容器又は瓶１６からエダクタ部分１１まで吸い上げられる濃縮物の量を制御する第２の弁部材３２が示されている。弁部材３２は、４６、４７、及び４８で示されるような複数の通路を有する。これらは、エダクタ部分１１に進められる濃縮物の量を調節するために様々な直径を有する。縮径部分５０がこれらのオリフィス間に延びる。これは、図８〜図１２で最もよく見える。
【００１９】
図１３及び図１４は、Neoperl, Inc.（Waterbury, Connecticut所在）から入手可能な流量制御装置５６を示す。これは、その中を通る水流を既知の方法で制御するために、膨張可能なシール５８を有する環状部材６２内に配置される複数の溝６０を有する。
【００２０】
動作
ディスペンサの動作を説明することによって、ディスペンサがよりよく理解されるであろう。図１を参照すると、加圧水の入ったホースが、ホース・アタッチメント１８に接続される。図５で見られるように、弁の壁４０が貫通孔２７を遮断しているとき、弁部材３０は閉位置にある。弁部材３０を時計方向位置に回転させると、チャネル４２が貫通孔２７と位置合わせされて、水が収束通路２４及び放散通路２５に、したがってエダクタ部分１１を通って流れることを可能にする。これは、図６で見られ、図１２で見られるように瓶１６内の濃縮物の吸引作用をもたらして、ディップチューブ５４を通して通路５２に濃縮物を引き上げる。ここで、濃縮物が弁部材３２の３つの通路４６、４７、及び４８の１つに導入される。図８で見られるように、弁部材３２は閉位置にある。これにより、化学的接触が生じないようにするための輸送用停止位置が可能になる。図９、図１０、及び図１１では、通路４６、４７、及び４８が、エダクタ部分１１と通路５２との間で位置合わせされて、エダクタ部分１１に濃縮物の流れを供給する。濃縮物は、通路５２から縮径部分５０に流れ、続いて通路４６及び４７に入る。これらの通路は、エダクタ部分１１に吸い上げられる濃縮物の量を制御するために、様々な直径を有する。
【００２１】
通路２４、２５及びエダクタ部分１１を通って流れる水の量は、弁部材３０によって制御される、図６で見られるように、チャネル４２が調節された流れ状態を提供するが、図７では、調節されていない流れ状態がもたらされる。これは、チャネル４２及び４４のサイズが異なることによって達成される。
【００２２】
水流を安定した速度で制御することが望まれる場合、流量制御装置５６が通路４２内に配置される。これにより、安定した流速が得られる。
【００２３】
図１の記号Ｒ、１、２、及び３、並びに１／２、１／１は、弁部材３０及び３２それぞれでの様々な流速を示し、「Ｒ」は、リンス位置を示す。
【００２４】
所望であれば、２００３年１月２１日に出願された米国特許出願第１０／３４８，１６１号に記載されているような泡発生ノズルをノズル２０に取り付けてもよい。このような場合、ノズル２０は、下向きの出口ではなく前向きの出口を有するであろう。
【００２５】
簡略化された設計ではあるが、水流及び水流中に吸い上げられる濃縮物の量の両方の制御を可能にすることができる化学濃縮物用のディスペンサが、ここでは提供されていることも分かるであろう。このディスペンサは、両方の弁部材がディスペンサ本体の同じ側に配置されているため、操作が容易である。これにより、使用者がディスペンサを一方の手で掴んで他方の手で調整を行うことができ、ディスペンサから手を離す必要がない。さらに、第２の弁部材３２は、直径の異なる３つの通路を有する回転弁部材として説明されているが、少なくとも２つの異なる量の化学濃縮物を貫通孔２７に供給するために、ニードル型の弁で置き換えることができる。
【００２６】
ディスペンサは、特定のタイプのノズル及びスパウトとともに図示されている。これらは、ディスペンサに関して上述したような利点を提供するために必須ではない。単純で真っ直ぐなノズルを放散通路２５に接続することができる。コネクタ１４、ハンドル部分１７、及び流量制御装置５６のいずれも必須ではない。本発明の範囲内にあるこれら及び他の変更形態の全てが、添付の特許請求の範囲によって定義されるように、その範囲内にあることが意図される。
【図面の簡単な説明】
【００２７】
【図１】本発明のディスペンサの側面図である。
【図２】流量制御弁を示すディスペンサの部分水平断面図である。
【図３】濃縮物を制御するための流量制御弁の斜視図である。
【図４】水流を制御するための流量制御弁を示す図３と同様の図である。
【図５】図４に示す弁の種々の流れ位置の１つを示す部分断面図である。
【図６】図４に示す弁の種々の流れ位置の１つを示す部分断面図である。
【図７】図４に示す弁の種々の流れ位置の１つを示す部分断面図である。
【図８】図３に示す弁の種々の流れ位置の１つを示す図５〜図７と同様の図である。
【図９】図３に示す弁の種々の流れ位置の１つを示す図５〜図７と同様の図である。
【図１０】図３に示す弁の種々の流れ位置の１つを示す図５〜図７と同様の図である。
【図１１】図３に示す弁の種々の流れ位置の１つを示す図５〜図７と同様の図である。
【図１２】流量制御弁を示す部分垂直断面図である。
【図１３】弁の一方における流量制御要素を示す断面図である。
【図１４】図１３に示す流量制御要素の分解図である。
【図１】
2008537506.tif 000003
【図２】
2008537506.tif 000004
【図３】
2008537506.tif 000005
【図４】
2008537506.tif 000006
【図５】
2008537506.tif 000007
【図６】
2008537506.tif 000008
【図７】
2008537506.tif 000009
【図８】
2008537506.tif 000010
【図９】
2008537506.tif 000011
【図１０】
2008537506.tif 000012
【図１１】
2008537506.tif 000013
【図１２】
2008537506.tif 000014
【図１３】
2008537506.tif 000015
【図１４】
2008537506.tif 000016
【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
種々の濃度の化学濃縮物を濃縮物容器から水流中に種々の流速で分配するためのディスペンサであって、
一端に加圧水源と接続されるようになっている入口端及び反対端に出口を備える貫通孔を有する本体部材と、
前記本体部材の前記貫通孔と流体連通し、少なくとも２つの異なる流速を提供するように構成及び配置される、第１の弁部材と、
前記貫通孔及び前記濃縮物容器と流体連通し、少なくとも２つの異なる量の濃度の化学濃縮物を前記貫通孔に供給するように構成及び配置される、第２の弁部材とを備え、
前記第１の弁部材及び前記第２の弁部材は、前記本体部材上に回転可能に配置されると共に前記本体部材の外部からアクセス可能である、種々の濃度の化学濃縮物を濃縮物容器から水流中に種々の流速で分配するためのディスペンサ。
【請求項２】
前記第１の弁部材は、少なくとも２つの異なる流速を提供するように構成及び配置される、請求項１に記載の種々の濃度の化学濃縮物を濃縮物容器から水流中に種々の流速で分配するためのディスペンサ。
【請求項３】
前記第２の弁部材は、３つの異なる流速を提供するように構成及び配置される、請求項１に記載の種々の濃度の化学濃縮物を濃縮物容器から水流中に種々の流速で分配するためのディスペンサ。
【請求項４】
前記第２の弁部材は、異なる直径の３つの流路を含む、請求項３に記載の種々の濃度の化学濃縮物を濃縮物容器から水流中に種々の流速で分配するためのディスペンサ。
【請求項５】
前記貫通孔は、前記化学濃縮物に接続される、請求項１に記載の種々の濃度の化学濃縮物を濃縮物容器から水流中に種々の流速で分配するためのディスペンサ。
【請求項６】
前記貫通孔は、容器内のディップチューブによって前記化学濃縮物に接続される、請求項５に記載の種々の濃度の化学濃縮物を濃縮物容器から水流中に種々の流速で分配するためのディスペンサ。
【請求項７】
前記出口は、バケット、瓶を充填するように、又は泡ノズルを受けるように構成及び配置される、請求項１に記載の種々の濃度の化学濃縮物を濃縮物容器から水流中に種々の流速で分配するためのディスペンサ。
【請求項８】
前記本体部材は、人間の手で掴まれるようになっている、請求項１に記載の種々の濃度の化学濃縮物を濃縮物容器から水流中に種々の流速で分配するためのディスペンサ。
【請求項９】
前記第１の弁部材及び前記第２の弁部材は、前記本体部材の片側に配置される制御ダイヤルによって制御され、該制御ダイヤルの両方が同じ側に位置する、請求項８に記載の種々の濃度の化学濃縮物を濃縮物容器から水流中に種々の流速で分配するためのディスペンサ。
【請求項１０】
前記入口端は、ホースに接続されるようになっている、請求項１に記載の種々の濃度の化学濃縮物を濃縮物容器から水流中に種々の流速で分配するためのディスペンサ。
【請求項１１】
前記第１の弁部材は、流量制御装置を含む、請求項１に記載の種々の濃度の化学濃縮物を濃縮物容器から水流中に種々の流速で分配するためのディスペンサ。
【国際調査報告】
2008537506.tif 000017
2008537506.tif 000018
2008537506.tif 000019